(57)【要約】【課題】容器体Ｃの口頸部２に嵌着する合成樹脂製の中栓であって、取り外しが容易に行えるとともに、口頸部の小さい容器に適用するものであっても指が掛け易く、構造が簡単で安価に製造できる中栓を提案する。【解決手段】口頸部２内周上端部に嵌合させる周壁３上端縁より口頸部２上に嵌合するフランジ５を延設した有底皿状をなし、底壁４上面より立設した一対の支持杆７にそれぞれ両端を連結した半環状の把手８を一体に連設してなる。【選択図】図１
2004059032.tif 000002
【特許請求の範囲】
【請求項１】
容器体Ｃの口頸部２に嵌着する合成樹脂製の中栓であって、口頸部２内周上端部に嵌合させる周壁３上端縁より口頸部２上に嵌合するフランジ５を延設した有底皿状をなし、底壁４上面より立設した一対の支持杆７にそれぞれ両端を連結した半環状の把手８を一体に延設してなることを特徴とする中栓。
【請求項２】
上記各支持杆７と、各支持杆に近接する周壁部分とをそれぞれ連結板１６で一体に連結してなる請求項１記載の中栓。
【請求項３】
上記底壁４の外周部から各支持杆７を起立させるとともに、その底壁４外周部を上方又は下方へ突出させてなる請求項１記載の中栓。
【請求項４】
上記容器体口頸部２に嵌合させる周壁１０上端部内面に、上記フランジ５外周縁部を嵌合係止して、上記請求項１乃至請求項３のいずれかに記載の中栓を装着させてなることを特徴とするキャップ。
【発明の詳細な説明】
【０００１】
【発明の属する技術分野】
本発明は中栓及び該中栓を備えたキャップに関する。
【０００２】
【従来の技術】
容器体に密閉性を付与する目的で種々の中栓を付設することが行われ、これら中栓の一般的な形態として、口頸部内周上端部に密嵌させる周壁の上端縁より口頸部上に嵌合させるフランジを延設した有底筒状のものが挙げられる。また、中栓を装着した口頸部外周に周壁を嵌合させてキャップを着脱可能に装着する。
【０００３】
中栓の存在で容器体内外は確実に遮断され、充分な密閉性を付与できるものではあるが、反面、開封に際して中栓の取り外しが困難となる不都合がある。この様な点から中栓にプルリングを付設したものも提案されている。（例えば、特開２０００−９５２５８号）。これらの中栓は底壁上面より立設した支持杆の上部より指掛け用のリングを一体に延設したものであり、開封に際してリングに指を掛けて引上げることにより中栓を取り外すことができる如く構成している。また、リングを周壁の内接円形態に形成して周壁上部より突設したものも提案されている。
【０００４】
【発明が解決しようとする課題】
上記したプルリング付き中栓は、容易に取り外すことができるものではあるが、周壁内にプルリングを収納する都合上口頸部の小さい容器体に装着するものにあっては、その分リングの径も小さくなり、指が掛けずらくなる。また、リングに掛かる力が支持杆下端の底壁部に一点集中するため、周壁と口頸部内面との圧接面を剥離する変形を起こしずらく、抜き出しに力を要する。また後者の場合にはリングに掛かる力が周壁の二点に伝達するが、その構造上リングの端部は周壁の上端部と連結しなければならないため、上記同様圧接面を剥離する変形を起こしずらく抜き出しに力を要する。
【０００５】
また、これら中栓はその密閉が確実であるほど取り外しが困難となり、特に収納液体を高温殺菌等した場合は容器体内が負圧化しているため、それがより顕著となる。従って、この様な場合にはプルリングを引き上げて中栓を抜き出すと、衝撃で容器体口頸部が揺れ、容器体内液体が飛散し易い。
【０００６】
本発明は上記した点に鑑みてなされたもので、取り外し時に力を要せず、口頸部の小さい容器に適用するものにあっても指が掛け易く、取り外しの際の液の飛散を極力防止でき、しかも、構造も簡単で安価に製造できる優れた中栓を提案する。
【０００７】
【課題を解決するための手段】
本請求項１発明の中栓は上記課題を解決するため、容器体Ｃの口頸部２に嵌着する合成樹脂製の中栓であって、口頸部２内周上端部に嵌合させる周壁３上端縁より口頸部２上に嵌合するフランジ５を延設した有底皿状をなし、底壁４上面より立設した一対の支持杆７にそれぞれ両端を連結した半環状の把手８を一体に延設してなることを特徴とする中栓として構成した。
【０００８】
また、請求項２発明の中栓は、上記各支持杆７と、各支持杆に近接する周壁部分とをそれぞれ連結板１６で一体に連結してなる請求項１記載の中栓として構成した。
【０００９】
また、請求項３発明の中栓は、上記底壁４の外周部から各支持杆７を起立させるとともに、その底壁４外周部を上方又は下方へ突出させてなる請求項１記載の中栓として構成した。
【００１０】
また、請求項４発明のキャップは、上記容器体口頸部２に嵌合させる周壁１０上端部内面に、上記フランジ５外周縁部を嵌合係止して、上記請求項１乃至請求項３のいずれかに記載の中栓を装着させてなることを特徴とするキャップとして構成した。
【００１１】
【発明の実施の形態】
以下、本発明の実施の形態を図面を参照して説明する。
【００１２】
図１は本発明の中栓Ａ及び該中栓Ａを備えたキャップＢを示す。中栓Ａは、容器体Ｃの口頸部２に嵌着するもので、口頸部２内周上端部に密に嵌合させる周壁３を底壁４周縁部より立設し、周壁３の上端縁より口頸部２上面に嵌合するフランジ５を延設した有底筒状をなしている。
【００１３】
周壁３の外周上部には突出幅の比較的小さいシール突条６を突設して周壁３外面と口頸部２内面との確実な気密性を付与すべく構成している。突出幅は０．２ｍｍ前後が好ましく採用されるが特に限定はない。また、周壁３の下端部は口頸部２内周面より小径にして口頸部２への嵌合をより行い易く構成している。
【００１４】
また、底壁４の上面より立設した一対の支持杆７を介して把手８を一体に延設している。各支持杆７は底壁４の上面より所定間隔をあけて立設したもので、その突設位置は把手８を支持可能な位置であれば特に限定されないが、把手８が指を掛ける作用をなすことを考慮して比較的周壁３に近い位置より突設すると良い。また、把手８は各支持杆７の上端部にそれぞれ両端を連結した半環状をなすものであり、具体的には図２に示す如く、平面視Ｕ字状をなすものであっても、或いは図４に示す如く平面視円弧状をなすものであっても良い。
【００１５】
キャップＢは、周壁を口頸部外周に嵌合させて装着するもので、周壁内面上端部に、上記フランジ５外周縁部を嵌合係止して中栓Ａを装着させており、キャップＢの容器体Ｃへの装着と同時に自動的に中栓Ａを口頸部２に装着できる如く構成している。フランジ５外周縁部をキャップ周壁内面へ嵌合係止する方法としては、フランジ外面を直接周壁内周面に密嵌させても良いが、フランジ外面に弾性変形する係合部を突設して、周壁内周上部の所定位置に突設した係止突条に乗越え係合させるとその装着操作をより円滑に行える。
【００１６】
尚、いずれの場合にも、フランジ外周縁部が周壁内周下端より上端部へ通過できる形態に形成しておくことが必要であり、例えば、弾性変形する係合部を備えたものである場合には、係合部が周壁内周に形成された螺条上方へ通過でき、且つ、係止突条上方に乗越え係合できる状態に、また、係合部のない場合には、螺条形成部分より小径で、周壁内周上端部と略同径にフランジ外周面の径を形成する。
【００１７】
図示例においてキャップＢは、周壁１０上端より頂壁１１を延設した有頂筒状をなし、周壁１０内周下部には口頸部２の螺条１２と螺合する螺条１３を周設し、また、螺条１３の上方所定位置に係止突条１４を周設している。一方、中栓Ａのフランジ５外周には係合部としての弾性突片１５を、周方向間隔をあけて８箇所突設している。そして、中栓ＡをキャップＢ下端開口から挿入して各弾性突片１５を係止突条１４に乗越え係合させて仮止めする。この状態から容器体ＣにキャップＢを螺着させると、中栓Ａはキャップ頂壁１１に押し下げられて口頸部２内に密嵌固定される。また、使用時にキャップＢを螺脱すると、中栓周壁３と口頸部２との嵌合強度が勝って各弾性突片１５は弾性的に変形して係止突条１４を乗越え、キャップＢが取り外される。
【００１８】
次いで把手８を引き上げることにより中栓Ａを取り外すことができる。取り外した中栓Ａはそのまま廃棄しても良く、再び嵌合して使用することも可能である。この様な支持杆７及び把手８の存在で、把手８を引き上げた際に間隔をあけた２点から広範囲に底壁４を変形させ周壁３の幅広い部分に変形を引き起し、周壁３外面と口頸部２内面との密接が広範囲に剥がれて、中栓Ａを容易に取り外せる。
【００１９】
また、本発明では、図６に示す如く、各支持杆７と、各支持杆に近接する周壁３部分とをそれぞれ連結板１６で連結しても良い。この様に構成することにより、把手８を引き上げた際に底壁４から周壁３を直接広範囲に変形させて周壁３外面と口頸部２内面との密接がより確実に剥離して、更に容易に中栓Ａの取り外しを行えるものである。連結板１６は図示例の如く上端部をあけたものであっても、或いは両者間全体に掛け渡したものであっても良い。また、連結板１６は一方の支持杆７と支持杆に近接する周壁３部分との間に設けても、両方の間に設けても良い。
【００２０】
また、本発明では、図１及び図６の実施例の如く、底壁４外周部を下方へ突出して、その外周部から各支持杆７を起立させる如く構成しても良い。中栓周壁３の下端部は口頸部２内径よりも小径に構成しているため、口頸部内へ遊挿されるが、中栓周壁３上部はシール突条６を介して口頸部２に密嵌させる如く構成しているため、中栓Ａは口頸部内面への嵌合により圧縮される。中栓底壁４が水平であれば、その底壁４から起立する支持杆７上端に付設した把手８の先端は支持杆７の傾斜により移動するが、予め中栓底壁を下方へ湾曲させておけば、縮径により移動幅が減少する。従って、把手の傾斜角も小さくなる。
【００２１】
尚、この様な作用は、上記実施例の如く中栓底壁を下方へ球面状に湾曲させた場合に限らず、上方へ湾曲させても生じ、また、底壁外周部分が中央側小径のテーパ状或いは台形状としても把手の傾斜角を小さくすることができる。要するに容器体口頸部内への中栓嵌合時に中栓周壁が縮径して、底壁外周部のテーパ状部分が変形するものであれば良く、そのような変形が可能であれば、その外周一部に非テーパ状部分があっても差し支えない。
【００２２】
【発明の効果】
以上説明した如く本発明の中栓は、既述構成としたことにより、不使用時には確実な密閉性を容器体に付与できるとともに、使用時には把手を引き上げることにより簡単に取り外すことができるものである。また、装着する容器体の口頸部が小さい場合には、例えば各支持杆の幅を広くとり、把手をＵ字状に形成できるため、指の挿入がより行い易くできるという利点も兼ね備えている。
【００２３】
また、請求項２発明の中栓では、把手の引き上げの際に底壁と周壁とを一遍に変形させることができ、周壁と口頸部との密嵌部分をより簡単に剥離することができ、その結果、剥離後に中栓周壁全体が口頸部内面から抜け出すこととなり、従って、容器体内が負圧化していてもこの剥離部分から外気が容器体内に入り負圧状態を解消して中栓抜き出しの際の衝撃を小さくでき、更に容易に容器体からの取り外しを行えるものである。しかもこの衝撃の減少により、取り外しの際の液の飛散を極力防止できるものである。
【００２４】
また、請求項３発明の中栓では、口頸部嵌着時の底壁の収縮による把手の不都合な傾斜を防止できる利点を兼ね備えている。
【００２５】
また、請求項４発明のキャップは、上記した如き中栓をキャップを口頸部に螺着する際に自動的に装着することができ、組み付け作業の簡素化を図れる等の利点を兼ね備えている。
【図面の簡単な説明】
【図１】本発明の一実施例を示す縦断面図である。
【図２】同実施例の中栓の平面図である。
【図３】同実施例の中栓の一部切欠斜視図である。
【図４】本発明中栓の他の実施例を示す平面図である。
【図５】同実施例の縦断面図である。
【図６】本発明の更に他の実施例を示す縦断面図である。
【符号の説明】
２…口頸部，３…中栓周壁，４…中栓底壁，５…フランジ，７…支持杆，８…把手，１０…キャップ周壁，１６…連結板，Ｃ…容器体
【図１】
2004059032.tif 000003
【図２】
2004059032.tif 000004
【図３】
2004059032.tif 000005
【図４】
2004059032.tif 000006
【図５】
2004059032.tif 000007
【図６】
2004059032.tif 000008